(57)【要約】      （修正有）【課題】茶葉を飲む直前に粉末茶に擂り潰して風味、栄養価が損なわれない状態で飲むことができて、粉末茶を別の食器に移す手間もなく、粉末茶を無駄にすることなく全て飲むことができて、しかも１つで茶葉を粉末茶にできると共に湯等を注いて飲む際にも用いることが可能な茶飲み用の食器を提供する。【解決手段】上面に開口を有する本体と、本体の内面に形成された凹凸条の多数の節目を備える。節目は本体の底面の中心から周方向へ放射状に延びている。茶葉を節目に擦り付けるように、すりこ木で擂り潰し、湯を注ぎ、飲むことができる。【選択図】図１
0003167325.tif 000002
【実用新案登録請求の範囲】
【請求項１】
上面に開口を有する器状の本体と、前記本体の内面に形成された凹凸条の多数の節目とを備え、前記節目は本体の底面の中心から周方向へ放射状に延びていることを特徴とする茶飲み用の食器。
【請求項２】
請求項１に記載した茶飲み用の食器において、節目は所定の曲率で同じ方向へ湾曲していることを特徴とする茶飲み用の食器。
【請求項３】
請求項１または２に記載した茶飲み用の食器において、節目は本体の内面の底部に形成されていることを特徴とする茶飲み用の食器。
【考案の詳細な説明】
【技術分野】
【０００１】
本考案は茶飲み用の食器に係り、特に粉末茶を飲むための茶飲み用の食器に関するものである。
【背景技術】
【０００２】
近年、粉末状にした茶葉（以下、粉末茶という。）を湯や水に溶かして（分散させて）飲むことが健康に良いとされ、広く好まれるようになっている。このため茶葉を粉砕して粉末状にしたものが市販されている。
更に、特許文献１に示すように、粉末茶を蓋部材等に収納できる携帯用ボトルもある。ところが、粉末茶は短時間で、風味だけでなく、その栄養価も低下してしまうという性質を有している。
そこで、特許文献２に示すような、すり鉢を用いて、飲む直前に茶葉を擂り潰して粉末茶にすることも考えられる。
【先行技術文献】
【特許文献】
【０００３】
【特許文献１】特開２００６−１４３３２７
【特許文献２】特開２００４−２５５０８６
【考案の概要】
【考案が解決しようとする課題】
【０００４】
しかしながら、粉末茶を湯のみ茶碗等の他の食器に移すには手間がかかるばかりか、すり鉢に付着した粉末茶が無駄になってしまい、更にすり鉢と食器の２つを汚すことになり食器洗いも面倒である。
本考案は上記従来の問題点に着目してなされたものであり、茶葉を飲む直前に粉末茶になるように擂り潰して風味、栄養価が損なわれない状態で飲むことができて、粉末茶を別の食器に移す手間もなく、且つ粉末茶を無駄にすることなく全て飲むことができて、しかも茶葉を粉末茶にできると共に湯等を注いて飲む際にも用いることが可能な茶飲み用の食器の提供を、その目的とする。
【課題を解決するための手段】
【０００５】
本考案は上記課題を解決するためになされたものであり、請求項１の考案は、上面に開口を有する器状の本体と、前記本体の内面に形成された凹凸条の多数の節目とを備え、前記節目は本体の底面の中心から周方向へ放射状に延びていることを特徴とする茶飲み用の食器である。
【０００６】
請求項２の考案は、請求項１に記載した茶飲み用の食器において、節目は所定の曲率で同じ方向へ湾曲していることを特徴とする茶飲み用の食器である。
【０００７】
請求項３の考案は、請求項１または２に記載した茶飲み用の食器において、節目は本体の内面の底部に形成されていることを特徴とする茶飲み用の食器である。
【考案の効果】
【０００８】
本考案の茶飲み用の食器では、茶葉を飲む直前に粉末茶に擂り潰して風味、栄養価が損なわれない状態で飲むことができる。また、粉末茶を別の食器に移す手間もなく、粉末茶を無駄にすることなく全て飲むことができる。
しかも、本考案の茶飲み用の食器は、茶葉を粉末茶にできると共に湯等を注いて飲む際にも用いることが可能なので、茶飲み用の食器１つだけを洗浄すればよく、食器洗いの手間を最小限にすることができる。
【図面の簡単な説明】
【０００９】
【図１】本考案の実施の形態に係る茶飲み用の食器の斜視図である。
【図２】図１のＡ−Ａ断面図である。
【図３】図１の茶飲み用の食器の平面図である。
【図４】図１の茶飲み用の食器を用いて茶葉を擂り潰す様子を示す斜視図である。
【図５】図１の茶飲み用の食器を用いて茶葉を擂り潰した後、湯を注いだ状態を示す斜視図である。
【考案を実施するための形態】
【００１０】
本考案の実施の形態に係る茶飲み用の食器１を図面にしたがって説明する。
符号３は器状の本体を示し、この本体３はその上面に開口５を有している。また、本体３の底面には高台７が形成されていて、茶飲み用の食器１は湯呑茶碗様に製作されている。
【００１１】
図２に詳細に示すように、本体３の内面の底部には凹凸条の多数の節目９が形成されている。節目９の凸条９ａの頂部は尖った形状にされ、また凹条９ｂの底部も尖った形状に形成されている。
図３に詳細に示すように、節目９は本体３の底面の中心から周方向へ放射状に延びていて、所定の曲率で同じ方向へ湾曲している。
符号１１は木製のすりこ木を示す。
【００１２】
次に、この茶飲み用の食器１の使用方法について説明する。
図４に示すように、茶飲み用の食器１に茶葉Ｔを入れ、すりこ木１１によって、茶葉Ｔを節目９に擦り付けるようにして擂り潰す。これにより、茶葉Ｔは粉末状に粉砕されて粉末茶ＰＴとなる。
【００１３】
そして、粉末茶ＰＴを茶飲み用の食器１に入れたままの状態で、湯Ｗを注ぎ入れる。粉末茶ＰＴは湯Ｗに溶けた（分散した）状態となるので、これを飲む。
このように、茶葉Ｔを飲む直前に粉末茶ＰＴになるように擂り潰すので、茶の風味、栄養価が損なわれるのを防止することができる。
【００１４】
また、茶飲み用の食器１は、それ１つで茶葉Ｔを粉末茶ＰＴにするための擂り潰すための用具と、茶を飲むための用具を兼用しているので、粉末茶ＰＴを別の食器に移す手間もなく、粉末茶ＰＴを無駄にすることなく全て飲むことができる。
しかも、茶飲み用の食器１、１つだけを洗浄すればよく、食器洗いの手間を最小限にすることが可能である。
また、湯Ｗを茶飲み用の食器１に注ぎ入れると、節目９に付着している粉末茶ＰＴも離間して湯Ｗに溶けるので、粉末茶ＰＴを無駄にすることがない。
【００１５】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態に係る茶飲み用の食器１では、節目９を内面の底部に形成したが、底部よりある程度上方にまで形成してもよい。
また、節目９の形状は、実施の形態に示したように湾曲した形状ではなく、直線状としてもよい。
なお、本考案の茶飲み用の食器は主に緑茶を擂り潰して飲む場合に使用するが、緑茶に限らず、ウーロン茶等の他の種類の茶葉や、生姜等、湯や水に入れて飲む食品を擂り潰す場合にも適用することができる。
【産業上の利用可能性】
【００１６】
本考案は、食器製造業に利用可能である。
【符号の説明】
【００１７】
１…茶飲み用の食器                ３…本体
５…開口                          ７…高台
９…節目                          ９ａ…節目の凸条
９ｂ…節目の凹条                １１…すりこ木
Ｔ…茶葉                        ＰＴ…粉末茶
【図１】
0003167325.tif 000003
【図２】
0003167325.tif 000004
【図３】
0003167325.tif 000005
【図４】
0003167325.tif 000006
【図５】
0003167325.tif 000007